(57)【要約】      （修正有）【課題】使用時以外は空間の粉塵、及び第三者からの粉塵、雨の日の水滴、雪の日の雪の塊等が足挿入口から内部空間に入り込むのを防止するブーツ、あるいは長靴を提供する。【解決手段】ブーツ１、あるいは長靴１の足挿入口２の先端部３にファスナー４ａ、面ファスナー等の開閉部を設け、使用時、不使用時に足挿入口２の開閉を自由に行い、不使用時に足挿入口２から空気中の粉塵、または第三者からの粉塵、雨の日には水滴、雪の日の雪の塊等の侵入を防止したことを特徴とする。【選択図】図１
0003144496.tif 000002
【実用新案登録請求の範囲】
【請求項１】
ブーツ，長靴の足挿入口の先端部に、開閉可能な開閉部を装着したことを特徴とするブーツ、あるいは長靴。
【請求項２】
開閉部が面ファスナー、ファスナー、ボタン、ホック、クリップ、前カン等の１種以上から構成したことを特徴とする請求項１記載のブーツ、あるいは長靴。
【請求項３】
開閉部の少なくとも一部に消臭剤、抗菌剤等に一種以上を設けたことを特徴とするブーツ、あるいは長靴。
【考案の詳細な説明】
【技術分野】
【０００１】      本考案は、ブーツ、あるいは長靴の足挿入口に、開閉部を開閉可能に設け、ブーツ、あるいは長靴を脱いで放置した時に足挿入口からこれらの内部空間に粉塵、水等が入り込むのを防止したブーツ、あるいは長靴に関するものである。
【背景技術】
【０００２】      通常、ブーツ、あるいは長靴（以下、単に長靴という。）を玄関等で脱いだ場合足挿入口は開放したままに放置されていた。
【考案の開示】
【考案が解決しようとする課題】
【０００３】      長靴の足挿入口は、面積が大きく、空間の粉塵や、この上を第三者が移動する際に雪の塊、水、その他の物質等が直接に、足挿入口に落下、若しくは内部に集積され、靴等の内部が汚染され、しかも濡れて不快感が生じる等の課題があった。さらに、これら粉塵の除去は、深い長靴では排除し難く、雪は足挿入口の内表面や靴底に密着するし、水は足挿入口の内壁面等に染みこみ、乾燥に時間がかかる不利があった。
【課題を解決するための手段】
【０００４】      本考案は、長靴の足挿入口に、例えば面ファスナー、ボタン、ホック、紐、クリップ、前カン等の開閉部を設け、空中の粉塵、第三者が靴等の上を移動する際に落下する水、粉、雪等の種々の物質が足挿入空間内部に蓄積、もしくは内部を汚染するのを防止するように閉塞し、これらの被害を排除したことを特徴とする長靴である。
【考案の効果】
【０００５】      上述したように、長靴の足挿入口に、開閉可能な開閉部を設け、足挿入口を使用時以外は、閉塞しておけば空中の粉塵、あるいは第三者が落下する粉塵、雨の日の水滴、雪の日の雪の塊等の集積、汚染を防止でき、常に違和感なく、嫌な思いもせず快適に長靴を履ける利点がある。
【考案を実施するための最良の形態】
【０００６】      以下に、図面を用いて本考案に係る長靴の一実施例について詳細に説明する。
即ち、図１は長靴１の足挿入口２の先端部３に開閉部４、例えばファスナー４ａを一体に設けた側面図であり、図２は長靴の足挿入口２の先端部３に開閉部４，例えば面ファスナー４ｂからなる開閉部４を設けた長靴の平面図を示し、図３は長靴１の足挿入口２の先端部３に開閉部４として、例えばボタン４ｃ、ホック４ｄ、紐４ｅ等を設けた平面図である。【０００７】      さらに、詳細に説明すると、図１（ａ）は、長靴１の足挿入口２の先端部３に開閉部４としてファスナー４ａを一体に設けた場合であり、図（ｂ）に示すように足挿入口２の先端周面にファスナー４ａを接着、縫製等で固定し、引き手５を引っ張ることにより図（ｃ）に示すように足挿入口２を閉塞する。【０００８】      図２（ａ）は足挿入口２の先端部３の周面に開閉部４として面ファスナー４ｂを設け、例えば接着等して長靴１と一体に固定した場合の平面図であり、図（ｂ）は開閉部４の面ファスナー４ｂを密着させて、足挿入口２を閉塞した状態を示す平面図である。【０００９】      また、図３はいずれも長靴１の足挿入口２の先端部３に下記するような開閉部４を設けた場合を示す平面図であり、図（ａ）は開閉部４がボタン４ｃを設けた場合で、市販の雄雌構造に構成されたものであり、ボタン嵌め込み材６がボタン４ｃの着脱、所謂、開閉可能に設ける。【００１０】      図３（ｂ）は、開閉部４をホック４ｄで構成した場合であり、ホック嵌合材７を足挿入口２の先端部３と一体に設け、図（ｃ）は開閉部４として例えば、紐４ｅを先端部３に設けた場合であり、紐４ｅをたぐり寄せて結べば開閉部４を閉塞できる。【００１１】      以上説明したのは、本考案に係る長靴の足挿入口に開閉部を設けた一実施例であり、図４（ａ）、（ｂ）に示すように消臭剤層、抗菌層等８の付加機能を設けた長靴１に形成することもできる。即ち、図４（ａ）に足挿入口２の先端部３を抽出して示すように開閉部４の内面壁１ａの一部に消臭剤、抗菌剤８等の一種以上を含有するシート９を開閉部４と一体に設け、閉時間中に長靴１の汗等の悪臭や雑菌を殺菌し、使用時に長靴１の内部空間１０と内面壁１ａを清潔な状態で使用できる長靴とすることもできる。【００１２】      また、図４（ｂ）に示すように消臭剤等が開閉部４を閉塞する際に、長靴１の内部空間１０に載置、若しくは噴射し閉塞すると悪臭が無く快適で抗菌も図れる長靴とすることもできる。また、図４（ｃ）に示すように例えば面ファスナー４ｂが足を挿入した際にストキング等を電線させる不具合があり、これを防止するカバー材１１を面ファスナー４ｂより突出させるように構成することもできる。なお、矢印イはカバー材１１を開閉して使用し、矢印ロは長靴１の足挿入口２の先端部を引き寄せて面ファスナー４ｂを嵌合して足挿入口２を閉塞するものである。
【図面の簡単な説明】
【００１３】
【図１】本考案に係る長靴の一実施例を示し、図（ａ）はその正面図、図（ｂ）はその開閉部を示す平面図、図（ｃ）はその開閉部の閉塞時を示す平面図である。
【図２】本考案に係る長靴の一実施例を示し、特に開閉部に面ファスナーを装着した図面であり、図（ａ）はその平面図、図（ｂ）は開閉部の閉塞時を示す平面図である。
【図３】本考案に係る長靴の一実施例を示し、特に開閉部に各種の開閉部を使用した際を示す平面図で、図（ａ）は開閉部がボタンの場合、図（ｂ）は開閉部がホックの場合、図（ｃ）は開閉部が紐の場合を示す平面図である。
【図４】本考案に係る長靴のその他の一実施例を示す部分説明断面図である。
【符号の説明】
【００１４】  １  ブーツ，長靴
２  足挿入口
３  先端部
４  開閉部
４ａ  ファスナー
４ｂ  面ファスナー
４ｃ  ボタン
４ｄ  ホック
４ｅ  紐
【図１】
0003144496.tif 000003
【図２】
0003144496.tif 000004
【図３】
0003144496.tif 000005
【図４】
0003144496.tif 000006
【手続補正書】
【提出日】平成20年6月4日(2008.6.4)
【手続補正１】
【補正対象書類名】実用新案登録請求の範囲
【補正対象項目名】全文
【補正方法】変更
【補正の内容】
【実用新案登録請求の範囲】
【請求項１】
ブーツ、長靴の足挿入口の先端部に、開閉可能な開閉部を装着したことを特徴とするブーツ、あるいは長靴。
【請求項２】
開閉部が面ファスナー、ファスナー、ボタン、ホック、クリップ、前カン等の１種以上から構成したことを特徴とする請求項１記載のブーツ、あるいは長靴。
【請求項３】
開閉部の少なくとも一部に消臭剤、抗菌剤等の一種以上を設けたことを特徴とする請求項１、及び２項記載のいずれかであるブーツ、あるいは長靴。